(57)【要約】      （修正有）【課題】モバイルアクセスポイントを提供する。【解決手段】モバイルアクセスポイントは、ユーザによる使用のために、音声通信アプリケーション又はデータ通信アプリケーションを含む１又は複数の端末機能を提供するように構成された端末モジュールと、少なくとも１つのクライアントデバイスによる使用のために、前記少なくとも１つのクライアントデバイスへ、コンピュータネットワークへのアクセスを提供することを含む１又は複数のゲートウェイ機能を提供するように構成されたゲートウェイモジュールと、それら対応する機能を有効にするために端末モジュール及びゲートウェイモジュールを実行するように構成されたプロセッサとを含む。【選択図】図３
2011239431.tif 000002
【特許請求の範囲】
【請求項１】
ユーザによる使用のために、音声通信アプリケーション又はデータ通信アプリケーションを含む１又は複数の端末機能を提供するように構成された端末モジュールと、
少なくとも１つのクライアントデバイスによる使用のために、前記少なくとも１つのクライアントデバイスに対してコンピュータネットワークへのアクセスを提供することを含む１又は複数のゲートウェイ機能を提供するように構成されたゲートウェイモジュールと、
対応する機能を有効にするために前記端末モジュール及び前記ゲートウェイモジュールを実行するように構成されたプロセッサと
を備えるモバイルアクセスポイント。
【請求項２】
前記音声通信アプリケーション又はデータ通信アプリケーションは、ユーザが電話トランザクションを実行できるように構成された請求項１に記載のモバイルアクセスポイント。
【請求項３】
前記１又は複数の端末機能は更に、無線通信アプリケーションを含み、前記無線通信アプリケーションは、第１の無線通信プロトコルを使用し、前記モバイルアクセスポイントは、第２の無線通信プロトコルを使用して、前記少なくとも１つのクライアントデバイスと通信するように構成された請求項１に記載のモバイルアクセスポイント。
【請求項４】
前記プロセッサは更に、前記第１の無線通信プロトコルと前記第２の無線通信プロトコルとの間でデータを再フォーマットするように構成された請求項３に記載のモバイルアクセスポイント。
【請求項５】
前記コンピュータネットワークはインターネットを含む請求項１に記載のモバイルアクセスポイント。
【請求項６】
前記少なくとも１つのクライアントデバイスはモバイルデバイスを備える請求項１に記載のモバイルアクセスポイント。
【請求項７】
ユーザによる使用のために、音声通信アプリケーション又はデータ通信アプリケーションを提供するように構成された端末モジュールと、
宛先コンピュータネットワークにアクセスするために、複数のモバイルクライアントによって使用可能なアクセスポイントを提供するように構成されたゲートウェイモジュールと、
前記端末モジュールと前記ゲートウェイモジュールとを実行するように構成されたプロセッサと
を備えるモバイルデバイス。
【請求項８】
前記音声通信アプリケーション又はデータ通信アプリケーションは、前記ユーザが電話トランザクションを実行できるように構成された請求項７記載のモバイルデバイス。
【請求項９】
前記音声通信アプリケーション又はデータ通信アプリケーションは、仲介ネットワークを利用するように構成され、
前記ゲートウェイモジュールは更に、前記仲介ネットワークを経由して前記宛先コンピュータネットワークへのアクセスを達成するように構成された請求項７記載のモバイルデバイス。
【請求項１０】
前記ゲートウェイモジュールは更に、第１の無線通信プロトコルを使用して、前記複数のモバイルクライアントと前記モバイルデバイスとの間の通信を達成するように構成され、
前記ゲートウェイモジュールは更に、第２の無線通信プロトコルを使用して、前記モバイルデバイスと前記仲介ネットワークとの間の通信を達成するように構成された請求項９記載のモバイルデバイス。
【請求項１１】
前記第１の無線通信プロトコルは８０２．１１ファミリを含み、
前記第２の無線通信プロトコルはＥＶ−ＤＯ(Evolution-Data Optimized)プロトコルを含む請求項１０記載のモバイルデバイス。
【請求項１２】
前記宛先コンピュータネットワークはインターネットを含む請求項７記載のモバイルデバイス。
【請求項１３】
前記複数のモバイルクライアントはモバイル電話を含む請求項７記載のモバイルデバイス。
【請求項１４】
モバイル電話、複数のクライアント、及び仲介ネットワークの間の通信を容易にする手段であって、
前記複数のクライアントとの通信は、第１の無線通信プロトコルを用いて行われ、前記仲介ネットワークとの通信は、第２の無線通信プロトコルを用いて行われる手段と、
ユーザによる使用のために、前記仲介ネットワークを経由して電話機能及びデータ機能を提供する手段と、
前記第１の無線通信プロトコルと前記第２の無線通信プロトコルとの間でデータを再フォーマットし、もって、前記複数のクライアントと前記仲介ネットワークとの間でデータが交換されるようにする手段と、
宛先コンピュータネットワークを、前記仲介ネットワークを経由して前記複数のクライアントへアクセスできるようにする手段と
を備えるモバイル電話。
【請求項１５】
前記第１の無線通信プロトコルは８０２．１１ファミリを含み、
前記第２の無線通信プロトコルはＥＶ−ＤＯ(Evolution-Data Optimized)プロトコルを含む請求項１４に記載のモバイル電話。
【請求項１６】
前記仲介ネットワークは、セルラ電気通信ネットワークを含み、
前記宛先コンピュータネットワークは、インターネットを含む請求項１４に記載のモバイル電話。
【請求項１７】
前記複数のクライアントは、少なくとも１つのモバイル電話を含む請求項１４に記載のモバイル電話。
【請求項１８】
モバイルアクセスポイントにおいて使用されるプロセッサであって、
音声通信アプリケーション又はデータ通信アプリケーションを含む１又は複数の端末機能と、
少なくとも１つのクライアントデバイスが、宛先コンピュータネットワークへアクセスできるようにする１又は複数のゲートウェイ機能と
を制御するように構成されたプロセッサ。
【請求項１９】
前記音声通信アプリケーション又はデータ通信アプリケーションは、前記ユーザが電話トランザクションを実行できるように構成された請求項１８に記載のプロセッサ。
【請求項２０】
モバイルアクセスポイントを提供する方法であって、
音声通信アプリケーション又はデータ通信アプリケーションを含む端末機能をモバイルデバイス上で実施することと、
宛先コンピュータネットワークが、前記モバイルデバイスを経由して少なくとも１つのクライアントデバイスによってアクセスされるようにするゲートウェイ機能を前記モバイルデバイス上で実施することと
を備える方法。
【請求項２１】
前記音声通信アプリケーション又はデータ通信アプリケーションは、前記ユーザが電話トランザクションを実行できるように構成された請求項２０に記載の方法。
【請求項２２】
前記端末機能は更に無線通信アプリケーションを含み、前記方法は更に、
第１の無線通信プロトコルに基づいて、前記無線通信アプリケーションと仲介ネットワークとの間の通信を達成するように前記モバイルデバイスを構成することと、
第２の無線通信プロトコルに基づいて、前記少なくとも１つのクライアントデバイスと前記モバイルデバイスとの間の通信を達成するように前記モバイルデバイスを構成することと、
前記第１の無線通信プロトコルと前記第２の無線通信プロトコルとの間でデータを再フォーマットするように前記モバイルデバイスを構成し、もって、前記複数のクライアントと前記仲介ネットワークとの間でデータが交換されるようにすることと、
前記宛先コンピュータネットワークが前記仲介ネットワークを経由してアクセスできるように前記モバイルデバイスを構成することと
を備える請求項２０に記載の方法。
【請求項２３】
前記第１の無線通信プロトコルはＥＶ−ＤＯ(Evolution-Data Optimized)プロトコルを含み、
前記第２の無線通信プロトコルは８０２．１１ファミリを含む請求項２２に記載の方法。
【請求項２４】
前記モバイルデバイスは、第１のモバイル電話を含み、
前記少なくとも１つのクライアントデバイスは、第２のモバイル電話を含む請求項２０に記載の方法。
【請求項２５】
モバイルアクセスポイントを提供する方法であって、
第１の無線通信プロトコルに基づいて、モバイルデバイスと複数のクライアントとの間の通信を行うように前記モバイルデバイスを構成することと、
第２の無線通信プロトコルに基づいて、前記モバイルデバイスと仲介ネットワークとの間の通信を行うように前記モバイルデバイスを構成することと、
前記仲介ネットワークを経由したユーザによる使用のために、前記モバイルデバイス上に、電話機能及びデータ機能を提供するように前記モバイルデバイスを構成することと、
前記第１の無線通信プロトコルと前記第２の無線通信プロトコルとの間でデータを再フォーマットするように前記モバイルデバイスを構成し、もって、前記複数のクライアントと前記仲介ネットワークとの間でデータが交換されるようにすることと、
宛先コンピュータネットワークを、前記仲介ネットワークを経由して前記複数のクライアントへアクセス可能にするように前記モバイルデバイスを構成することと
を備える方法。
【請求項２６】
前記第１の無線通信プロトコルは８０２．１１ファミリを含み、
前記第２の無線通信プロトコルはＥＶ−ＤＯ(Evolution-Data Optimized)プロトコルを含む請求項２５に記載の方法。
【請求項２７】
複数の命令を有するプロセッサ読取可能媒体であって、プロセッサによって実行された場合、
音声通信アプリケーション又はデータ通信アプリケーションを含む１又は複数の端末機能を実行することと、
少なくとも１つのクライアントデバイスが、前記モバイルデバイスを経由して宛先コンピュータネットワークにアクセスできるようにする１又は複数のゲートウェイ機能を実行することと
を備える方法を実行するように構成されたプロセッサ読取可能媒体。
【発明の詳細な説明】
【技術分野】
【０００１】
（３５Ｕ．Ｓ．Ｃ．§１１９の優先権主張）
本特許出願は、２００５年３月２日に出願され、本願の譲受人に譲渡され、"METHOD AND SYSTEM FOR PROVIDING MOBILE WIRELESS ACCESS POINTS"と題され、本明細書に参照によって明確に組み込まれた仮出願６０／６５８，２６８号の優先権を主張する。
【０００２】
本開示は、一般に、無線通信に関し、特に、モバイル無線アクセスポイントを提供する方法及びシステムに関する。
【背景技術】
【０００３】
無線モバイルサービスによって提供される便利さによって、そのようなサービスはますます人気を獲得している。人気の増加に加えて、より高いサービス品質レベルに対するユーザ欲求が更に強くなった。無線サービスは、様々な無線技術を用いて提供することができる。例えば、そのような無線技術の１つは、無線ローカルエリアネットワーク（ＷＬＡＮ）及び無線デバイスのために、ＩＥＥＥ（Institute for Electrical and Electronics Engineers）によって開発されたＷｉ−Ｆｉ（wireless fidelity）規格である。より具体的には、Ｗｉ−Ｆｉは、８０２．１１ファミリの仕様を使用するあるタイプのＷＬＡＮを指す。８０２．１１ファミリは、８０２．１１ａ、８０２．１１ｂ及び８０２．１１ｇを含む、無線ネットワーク規格又は仕様の発展セットである。８０２．１１ファミリは、無線クライアントと基地局との間、あるいは、２つの無線クライアントの間のover-the-airインタフェースを指定する。
【０００４】
Ｗｉ−Ｆｉは、有線ローカルエリアネットワークの代わりとして、ビジネス、機関、学校、及び家庭を含む多くのタイプのユーザに受け入れられた。多くの空港、ホテル、及びファーストフード設備が、Ｗｉ−Ｆｉネットワークへの公衆アクセスを提供する。これらの場所は、一般に、アクセスポイントあるいはホットスポットとして知られている。アクセスに対する代金の多くは、日割り又は時間従量性であるが、幾つかは無料である。
【０００５】
Ｗｉ−Ｆｉネットワークは、基本的にはローカルエリアネットワークであり、ホットスポットは、それらの位置に物理的に固定されているので、それらの有効範囲は、ホットスポットと無線クライアントとの間の距離に特に影響を受けやすい。有効範囲の品質は、一般に、無線クライアントの近くのホットスポットの数に応じて変わる。ホットスポットはそれぞれ、定義されたネットワーク領域内の多くの無線クライアントにサービス提供することができる。しかしながら、無線クライアントが１つのホットスポットの範囲を越えると、それら無線クライアントは、次のホットスポットに自動的にハンドオーバされる。従って、無線クライアントに、より良好な有効範囲を提供するために、Ｗｉ−Ｆｉネットワークのオペレータは、様々な場所において、追加のホットスポットを設置するように促される。そのような追加のホットスポットを設置することは、実質的な設置のみならず運転費用も必要となるので、多分、何億ドルもの費用となるだろう。
【０００６】
従って、モバイル無線アクセスポイントを提供することができる方法及びシステムを持つことが望ましいだろう。
【発明の概要】
【０００７】
本明細書で開示する技術は、モバイル無線アクセスポイントを提供することにより、上述した必要性に対処する。１つの局面では、モバイルアクセスポイントは、ユーザによる使用のために、音声通信アプリケーション又はデータ通信アプリケーションを含む１又は複数の端末機能を提供するように構成された端末モジュールと、少なくとも１つのクライアントデバイスによる使用のために、前記少なくとも１つのクライアントデバイスへ、コンピュータネットワークへのアクセスを提供することを含む１又は複数のゲートウェイ機能を提供するように構成されたゲートウェイモジュールと、それら対応する機能を有効にするために端末モジュール及びゲートウェイモジュールを実行するように構成されたプロセッサとを含む。
【０００８】
別の局面では、モバイル電話は、前記モバイル電話と複数のクライアントと仲介ネットワークとの間の通信を容易にする手段を備える。ここでは、複数のクライアントとの通信は、第１の無線通信プロトコルを用いて行われ、前記仲介ネットワークとの通信は、第２の無線通信プロトコルを用いて行われる。前記モバイル電話は更に、ユーザによる使用のために、前記仲介ネットワークを経由して電話機能及びデータ機能を提供する手段と、前記第１の無線通信プロトコルと前記第２の通信プロトコルとの間でデータを再フォーマットし、これによって、複数のクライアントと仲介ネットワークとの間でデータが交換されるようにする手段と、宛先コンピュータネットワークを、仲介ネットワークを経由して、複数のクライアントにアクセス可能にする手段とを備える。
【０００９】
更なる局面では、モバイルアクセスポイントにおいて使用されるプロセッサが開示される。このプロセッサは、音声通信アプリケーション又はデータ通信アプリケーションを含む１又は複数の端末機能と、少なくとも１つのクライアントデバイスが、宛先コンピュータネットワークにアクセスすることを可能にする１又は複数のゲートウェイ機能とを制御するように構成されうる。
【００１０】
また別の局面では、モバイルアクセスポイントを提供する方法は、モバイルデバイス上に、音声通信アプリケーション又はデータ通信アプリケーションを含む端末機能を実装することと、宛先コンピュータネットワークが、前記モバイルデバイスを経由して、少なくとも１つのクライアントデバイスによってアクセスされるようにするゲートウェイ機能をモバイルデバイス上に実装することとを含む。
【００１１】
更なる局面では、複数の命令を有するプロセッサ読取可能媒体が開示される。この複数の命令は、音声通信アプリケーション又はデータ通信アプリケーションを含む１又は複数の端末機能を実行する命令セットと、前記モバイルデバイスを経由して、少なくとも１つのクライアントデバイスが、宛先コンピュータネットワークへアクセスできるように、１又は複数のゲートウェイ機能を有効にする命令セットとを含む。
【００１２】
更に別の局面では、モバイルアクセスポイントを提供する方法は、第１の無線通信プロトコルに基づいて、前記モバイルデバイスと複数のクライアントとの間の通信を行うようにモバイルデバイスを構成することと、第２の無線通信プロトコルに基づいて、前記モバイルデバイスと仲介ネットワークとの間の通信を行うように前記モバイルデバイスを構成することと、ユーザによる使用のために、前記仲介ネットワークを経由して、前記モバイルデバイスに電話機能及びデータ機能を提供するように前記モバイルデバイスを構成することと、前記第１の無線通信プロトコルと前記第２の通信プロトコルの間でデータを再フォーマットするように前記モバイルデバイスを構成し、これによって、複数のクライアントと仲介ネットワークとの間でのデータ交換を可能にすることと、前記仲介ネットワークを経由して、宛先コンピュータネットワークを、複数のクライアントにアクセス可能にするように前記モバイルデバイスを構成することとを含みうる。
【００１３】
本発明の他の実施形態は、本発明の様々な実施形態が示され、例示によって説明された以下の詳細記述から、当業者に容易に明らかになるであろうことが理解される。理解されるように、本発明は、その他及び別の実施形態となることもでき、その幾つかの詳細は、その他様々な局面において変形することができる。従って、図面及び詳細説明は、本質的に例示的とみなされ、限定的とみなされない。
【図面の簡単な説明】
【００１４】
【図１】図１は、本開示に従ったモバイル無線アクセスポイントシステムの１つの実施形態を図示する簡略概略図である。
【図２】図２は、本開示に従ったモバイル無線アクセスポイントシステムの別の実施形態を図示する簡略概略図である。
【図３】図３は、本開示に従ったモバイル無線アクセスポイントとして使用できるモバイル電話を図示する簡略概略図である。
【図４】図４は、本開示に従ったモバイル無線アクセスポイントの１つの実施形態を図示する簡略概略図である。
【図５】図５は、本開示に従ったモバイル無線アクセスポイントを提供するために使用可能な方法を図示する論理流れ図である。
【発明を実施するための形態】
【００１５】
本発明の局面は、添付図面において、限定ではなく、一例として例示される。
【００１６】
添付図面と関連して以下に述べる詳細説明は、本発明の様々な実施形態の記載として意図され、本発明が実現されうる唯一の実施形態を表すように意図されていない。詳細説明は、本発明の完全な理解を提供することを目的とした具体的な詳細を含んでいる。しかしながら、本発明は、これら具体的な詳細がなくとも実現されうることが当業者に明らかになるであろう。幾つかのインスタンスでは、周知の構成及びコンポーネントが、本発明の概念を不明瞭にしないために、ブロック図形式で示される。
【００１７】
図１は、モバイル無線アクセスポイントを提供するために使用可能な１つのシステム構成を図示する。システム１００は、多くのモバイルデバイス１０２ａ，１０２ｂと、無線ローカルエリアネットワーク１０４（ＷＬＡＮ）と、モバイルアクセスポイント１０６と、無線ネットワーク１０８と、固定ネットワーク１１０とを含みうる。
【００１８】
モバイルデバイス１０２ａ，１０２ｂは更に、モバイル電話、携帯情報端末（ＰＤＡ）、及び、他のタイプのモバイル通信デバイスを含みうる。モバイルアクセスポイント１０６は、例えば端末機能及びゲートウェイ機能を含むデュアル機能又はマルチ機能を提供しうる。この端末機能は、モバイルデバイス１０２ａ，１０２ｂによって提供されるものに類似した機能を含みうる。また、ゲートウェイ機能は、モバイルデバイス１０２ａ，１０２ｂ及び／又はＷＬＡＮ１０４が、固定ネットワーク１１０と通信することを可能にする機能を含みうる。これらモバイルデバイス１０２ａ，１０２ｂ、及びＷＬＡＮ１０４は、例えば８０２．１１ファミリのような様々な短距離無線通信プロトコルのうちの１つを用いて、モバイルアクセスポイント１０６と通信しうる。
【００１９】
一方、モバイルアクセスポイント１０６は、例えばＣＤＭＡ（符号分割多元接続）のような無線通信プロトコルや、有線通信プロトコルの多くを用いて、無線ネットワーク１０８と通信しうる。無線ネットワーク１０８は、セルラ電気通信ネットワークを含みうる。
【００２０】
固定ネットワーク１１０は更に、インターネット、及び、その他のタイプのコンピュータネットワークを含みうる。
【００２１】
上述したように、モバイルアクセスポイント１０６は、端末機能及びゲートウェイ機能を提供しうる。例えば、端末機能に関し、モバイルアクセスポイント１０６は、無線ネットワーク１０８を経由して音声通信アプリケーション及び／又はデータ通信アプリケーションを行うモバイル電話としてユーザによって使用されうる。ゲートウェイ機能に関し、モバイルアクセスポイント１０６は、固定ネットワーク１１０とのアクセス又は通信のためのアクセスポイントとして、モバイルデバイス１０２ａ，１０２ｂの１又は複数によって使用されうる。固定ネットワーク１１０は、例えばインターネットのような様々な異なるタイプのネットワークを含みうる。
【００２２】
モバイルアクセスポイント１０６は、異なる無線通信プロトコル（例えば、８０２．１１ファミリやＣＤＭＡ）を用いてモバイルデバイス１０２ａ，１０２ｂ、ＷＬＡＮ１０４、及び無線ネットワーク１０８と通信しうるので、モバイルアクセスポイント１０６との通信は、両端において無線でありうる。その結果、モバイルアクセスポイント１０６は、固定される必要はない。言い換えれば、モバイルアクセスポイント１０６は、物理的な制約なく移動することができる。モバイルアクセスポイント１０６を移動可能にすることによって、モバイルアクセスポイント１０６を、モバイルデバイス１０２ａ，１０２ｂ及び／又はＷＬＡＮ１０４の近くに持ってくることができる。その結果、固定ネットワーク１１０へのより容易、かつ、より便利なアクセスを達成することができる。更に、モバイルアクセスポイント１０６が、静止デバイス（図示せず）の近くで移動できることが注目されるべきである。従って、この静止デバイスは、固定ネットワーク１１０へのアクセスを有しうる。
【００２３】
図２は、モバイル無線アクセスポイントを提供するために使用することができる別のシステム構成を図示する。システム２００は、より高速なモバイルデータサービスを提供するために最近開発されたＥＶ−ＤＯ(Evolution-Data Optimized)として一般に知られている別の無線技術と共に使用されてもよい。ＥＶ−ＤＯ技術は、ＣＤＭＡ２０００−１ｘ（符号分割多元接続規格）に基づいた３Ｇ技術と考えられる。ＥＶ−ＤＯネットワークは、一般に、オフピーク時間中は６００Ｋ〜１，２００Ｋビット／秒の、ピーク時間中は１５０Ｋ〜３００Ｋビット／秒の平均ダウンロードデータレートを提供する。瞬間的データレートは、最大２．４Ｍビット／秒である。これらのデータレートは、１．２５ＭＨｚのスペクトルのみを使用して達成される。本明細書ではＥＶ−ＤＯが記述されているが、当業者であれば、他のタイプの無線技術が使用されてもよいことを認識するだろう。
【００２４】
システム２００は、多くのモバイルデバイス２０２ａ，２０２ｂ、ＷＬＡＮ２０４、モバイルアクセスポイント２０６、ラジオノード２０８、ＩＰ（インターネットプロトコル）バックホールネットワーク２１０、中央オフィス２１２、サービスプロバイダコアネットワーク２１４、及び固定ネットワーク２１６を含みうる。モバイルデバイス２０２ａ，２０２ｂ、ＷＬＡＮ２０４、及び固定ネットワーク２１６は、図１に記述したものに類似している。
【００２５】
同様に、モバイルアクセスポイント２０６は、端末機能及びゲートウェイ機能を提供しうる。この構成では、モバイルアクセスポイント２０６は、端末機能に関して図１に記述したものと類似しており、更に、ＥＶ−ＤＯ機能を取り扱うように設計されている。ＥＶ−ＤＯ機能は、モバイルデータサービスに関連しており、ラジオノード２０８、ＩＰバックホールネットワーク２１０、中央オフィス２１２、及びサービスプロバイダコアネットワーク２１４を含みうるＥＶ−ＤＯネットワーク２２２を経由して提供されうる。中央オフィス２１２は更に、ラジオネットワークコントローラ２１８及びパケットデータサービスノード２２０を含みうる。
【００２６】
ラジオノード２０８は、セル又は送信サイトに設置され、多くの加入者又はユーザをサポートすることができる。ラジオネットワークコントローラ２１８は、中央オフィス２１２に配置され、ハンドオフ支援、移動管理、及び端末レベルセキュリティを行いうる。各ラジオネットワークコントローラ２１８は、１又は複数のラジオノード２０８をサポートし、パケットデータサービスノード２２０を介してサービスプロバイダコアネットワーク２１４に接続することができる。パケットデータサービスノード２２０は、標準的な無線ルータでありうる。
【００２７】
ＥＶ−ＤＯネットワークは、レガシー回路切換無線音声ネットワークから完全にデカップルされているという点で他の３Ｇネットワークとは異なる。これは、幾つかのベンダに、ＩＰ技術に完全に基づくＥＶ−ＤＯネットワークを構築させた。ラジオノード２０８とラジオネットワークコントローラ２１８との間でＩＰ伝送を用いることは、フレーム中継器、ルータネットワーク、メトロポリタンイーサネット（登録商標）、及び無線バックホールを含むバックホールサービスの選択をオペレータに与えることによって、バックホールコストを低減する。ＩＰベースのＥＶ−ＤＯネットワークは、ルータやサーバのようなオフザシェルフ（off-the-shelf）ＩＰ機器を活用し、ネットワーク管理のためにオープンスタンダードを用いる。更に、ＩＰベースのＥＶ−ＤＯネットワークでは、ラジオノード２０８が、ラジオ周波数処理、ベースバンド変調／復調、及びパケットスケジューリングを行ないうる。
【００２８】
モバイルアクセスポイント２０６は更に、ゲートウェイ機能を提供しうる。モバイルアクセスポイント２０６は、例えばインターネットのような固定ネットワーク２１６とのアクセス又は通信のために、モバイルデバイス２０２ａ，２０２ｂのうちの１又は複数、及び／又は、ＷＬＡＮ２０４によって、ホットスポット又はアクセスポイントとして使用されうる。図２に示す構成では、固定ネットワーク２１６へのアクセスは、ＥＶ−ＤＯネットワーク２２２経由で達成されうる。例えば、モバイルデバイス２０２ａは、８０２．１１無線通信プロトコルを使用して、モバイルアクセスポイント２０６と通信しうる。一方、モバイルアクセスポイント２０６は、モバイルデバイス２０２ａから受信したデータを、ＥＶ−ＤＯプロトコルへ変換又は再フォーマットし、この再フォーマットしたデータを、ラジオノード２０８及びＩＰバックホールネットワーク２１０を経由して、中央オフィス２１２へ送信しうる。そして、中央オフィス２１２は、必要な場合には、データの更なる再フォーマットを行い、このデータを、固定ネットワーク２１６に接続された所望の宛先（図示せず）に更に配信するために、固定ネットワーク２１６へ送信しうる。同様に、固定ネットワーク２１６によって送信されたデータは、中央オフィス２１２によって、ＩＰバックホールネットワーク２１０及びラジオノード２０８を経由して、モバイルアクセスポイント２０６へ転送されうる。一方、モバイルアクセスポイント２０６は、中央オフィス２１２から受信したデータを再フォーマットし、その後、このデータを、モバイルデバイス２０２ａ，２０２ｂ及び／又はＷＬＡＮ２０４へ転送する。
【００２９】
図３は、プロセッサ３１０、端末モジュール３２０、及びゲートウェイモジュール３３０を備えるモバイルアクセスポイント３００の例を示す。端末モジュール３２０は、ユーザによる使用のために、１又は複数の端末機能を提供する。限定される訳ではないが、端末機能は、音声通信アプリケーション又はデータ通信アプリケーションを含みうる。これら通信アプリケーションによって、ユーザは、電話トランザクションを行なうことが可能となる。ゲートウェイモジュール３３０は、少なくとも１つのクライアントデバイスによる使用のために、１又は複数のゲートウェイ機能を提供する。このゲートウェイ機能は、限定される訳ではないが、コンピュータネットワークへのアクセスをクライアントデバイスへ提供する。プロセッサ３１０は、端末モジュール３２０及びゲートウェイモジュール３３０を制御する。プロセッサ３１０は、これら対応する機能を有効にするために、端末モジュール３１０及びゲートウェイモジュール３２０を実行する。
【００３０】
図４は、図３に示すようなモバイルアクセスポイント３００として使用されうるモバイル電話４００の例を示す。モバイル電話４００は、２つのトランシーバ４０２，４０４、ＷＬＡＮ処理ロジック４０６、ＥＶ−ＤＯ処理ロジック４０８、ＩＰ変換ロジック４１０、音声／データ通信処理ロジック４１２、及び、制御ロジックを有するプロセッサ４１４を含む多くの構成要素を用いて、端末機能とゲートウェイ機能との両方を提供する。モバイルアクセスポイントは、様々な実施の必要性に応じて、追加の要素を含みうることに注目されるべきである。
【００３１】
プロセッサ４１４は、モバイル電話４００の様々な構成要素の動作を調整及び制御するために使用される。プロセッサ４１４は、音声通信アプリケーション又はデータ通信アプリケーションのような端末機能と、コンピュータネットワークへのアクセスを提供するゲートウェイ機能とを提供するように構成されうる。
【００３２】
端末機能を提供するために、モバイル電話４００は、例えば通話のような音声通信又はデータ通信を行うために、ユーザがモバイル電話４００を使用できるようにともに構成されたトランシーバ４０４及び音声／データ通信処理ロジック４１２を利用しうる。
【００３３】
ゲートウェイ機能を提供するために、モバイル電話４００は、トランシーバ４０２、ＷＬＡＮ処理ロジック４０６、ＩＰ変換ロジック４１０、及び、ＥＶ−ＤＯ処理ロジック４０８をまとめて使用しうる。トランシーバ４０２は、モバイルデバイス２０２ａ，２０２ｂ、ＷＬＡＮ２０４、及び、モバイルアクセスポイント２０６の間で通信されるデータの送受信のために使用されうる。ＷＬＡＮ処理ロジック４０６は、モバイルデバイス２０２ａ，２０２ｂ、及び／又はＷＬＡＮ２０４からの受信データ、又はモバイルデバイス２０２ａ，２０２ｂ、及び／又はＷＬＡＮ２０４へ転送されるデータを処理するように構成されている。ＷＬＡＮ処理ロジック４０６によって行なわれる処理機能の幾つかは、モバイルアクセスポイント２０６、モバイルデバイス２０２ａ，２０２ｂ、及びＷＬＡＮ２０４の間で使用される無線通信プロトコルに基づく変調、復調、符号化、及び復号を含みうる。ＩＰ変換ユニット４１０は、ＥＶ−ＤＯネットワーク２２２、モバイルデバイス２０２ａ，２０２ｂ、及びＷＬＡＮ２０４の間で交換されたデータを変換又は再フォーマットするように構成されうる。例えば、ＩＰ変換ロジック４１０は、８０２．１１プロトコルとＥＶ−ＤＯプロトコルとの間でデータを変換しうる。ＥＶ−ＤＯ処理ロジック４０８は、ＥＶ−ＤＯネットワーク２２２から受信した、あるいは、ＥＶ−ＤＯネットワーク２２２へ転送されるデータを処理するように構成されうる。ＷＬＡＮ処理ロジック４０６と同様に、ＥＶ−ＤＯ処理ロジック４０８によって行われる処理機能のうちの幾つかは、ＥＶ−ＤＯプロトコルに基づく変調、復調、符号化、及び、復号を含みうる。ＥＶ−ＤＯ処理ロジック４０８はまた、ＥＶ−ＤＯデータサービスを達成するために、音声／データ通信処理ロジック４１２と独立して協調しうる。
【００３４】
モバイル電話４００は、以下のように、図２に示すモバイルアクセスポイント２０６として使用されうる。この例では、モバイルデバイス２０２ａ，２０２ｂ、及びＷＬＡＮ２０４は、８０２．１１ｂプロトコルを使用してモバイルアクセスポイント２０６と通信し、ＥＶ−ＤＯネットワーク２２２は、固定ネットワーク２１６にアクセスするために使用されると仮定される。モバイルデバイス２０２ａによって送信されたデータは、トランシーバ４０２を経由してモバイルアクセスポイント２０６によって受信される。この受信されたデータは、８０２．１１ｂプロトコルに従ってＷＬＡＮ処理ロジック４０６によって処理される。処理されたデータは、更に、ＩＰ変換ロジック４１０へ転送される。ＩＰ変換ロジック４１０は、このデータを、８０２．１１ｂプロトコルからＥＶ−ＤＯプロトコルへ再フォーマットする。そして、再フォーマットされたデータは、ＥＶ−ＤＯ処理ロジック４０８へ提供される。ＥＶ−ＤＯ処理ロジック４０８は、送信準備ができたデータを、トランシーバ４０４を経由してＥＶ−ＤＯネットワーク２２２に渡す。中央オフィス２１２は、このデータを受信すると、適切な処理を行ない、処理したデータを、固定ネットワーク２１６へ転送する。固定ネットワーク２１６によってモバイルデバイス２０２ａへ送られたデータに対し、モバイルアクセスポイント２０６は、トランシーバ４０４を経由してデータを受信する。そして、受信されたデータは、ＥＶ−ＤＯプロトコルに従ってＥＶ−ＤＯ処理ロジック４０８によって処理される。次に、処理されたデータは、ＥＶ−ＤＯプロトコルからＩＰ変換ロジック４１０へ転送され、８０２．１１ｂプロトコルへ再フォーマットされる。そして、再フォーマットされたデータは、ＷＬＡＮ処理ロジック４０６に提供される。ＷＬＡＮ処理ロジック４０６は、送信準備のできたデータを、トランシーバ４０２を経由してモバイルデバイス２０２ａへ渡す。
【００３５】
図５は、モバイルアクセスポイント２０６を提供するために使用可能な方法のロジックフローを図示する。モバイルアクセスポイント２０６は、図４に示すようなモバイルデバイス４００でありうる。ブロック５００では、端末機能が、モバイルデバイス４００上で実施される。この端末機能は、音声通信アプリケーション及び／又はデータ通信アプリケーションを含んでいる。ブロック５１０では、ゲートウェイ機能も、モバイルデバイス４００上で実施され、モバイルデバイス４００を経由して、少なくとも１つのクライアントデバイスによって、宛先コンピュータネットワークがアクセスされるようになる。この端末機能は更に、無線通信アプリケーションを含みうる。ブロック５２０では、モバイルデバイス４００が、第１の無線通信プロトコルに基づいて、無線通信アプリケーションと仲介ネットワークとの間の通信を達成するように構成される。ブロック５３０では、モバイルデバイス４００が、第２の無線通信プロトコルに基づいて、少なくとも１つのクライアントデバイスと、モバイルデバイス４００との間の通信を達成するように構成される。ブロック５４０では、モバイルデバイス４００が、第１の無線通信プロトコルと第２の無線通信プロトコルとの間でデータを再フォーマットするように構成される。これによって、少なくとも１つのクライアントデバイスが、仲介ネットワークと通信できるようになる。ブロック５５０では、モバイルデバイスは、仲介ネットワークを経由して、宛先コンピュータネットワークをアクセス可能にするように構成される。
【００３６】
モバイルアクセスポイント３００及び／又はモバイル電話４００の構成要素は、モバイルアクセスポイントの動作に影響を与えることなく再設定されうることが当業者に明らかであるべきである。同様に、モバイルアクセスポイント３００及び／又はモバイルアクセスポイント４００のうちの１又は複数は、構成要素の機能に影響を与えることなく、共に結合、統合、及び／又は実装されうる。更に、モバイル電話は、説明目的で使用されたことが留意されるべきである。本開示に従って上述したシステムは、様々なアプリケーションにおいて用いることができる。例えば、本システムは、モバイル電話のみならず、限定される訳ではないが、ＰＤＡ、ラップトップ、及び乗り物のようなその他様々なモバイルデバイスにおいて使用することができる。本システムはまた、非モバイルデバイス内でも実施されうる。本明細書で提供した開示及び教示に基づいて、当業者であれば、本システムを、他の用途においてどのように利用するかを理解するであろう。
【００３７】
ここで開示された実施形態に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００３８】
ここで開示された実施形態に関連して記述された方法やアルゴリズムは、ハードウェアや、プロセッサによって実行されるソフトウェアモジュールや、制御ロジック、プログラム命令、又はその他の命令の形態によるこれらの組み合わせによって直接的に具現化され、単一のデバイスに含まれるか、又は、複数のデバイスにわたって分散される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。記憶媒体は、プロセッサがそこから情報を読み取り、またそこに情報を書き込むことができるようにプロセッサに接続される。または、記憶媒体はプロセッサに統合されうる。
【００３９】
開示された実施形態における上述の記載は、当該技術分野におけるいかなる人であっても、本発明の活用または利用を可能とするように提供される。これらの実施形態への様々な変形例もまた、当該技術分野における熟練者に対して明らかであって、ここで定められた一般的な原理は、他の実施形態にも適用されうる。このように、本発明は、ここで示された実施形態に制限されるものではなく、特許請求の範囲と整合のとれた全範囲に相当するものを意図しており、単数形の要素への参照は、「１又は複数」と具体的に述べられていないのであれば、「１及び１のみ」を意味するようには意図されていない。当業者に周知であるか、本開示全体を通じて記述され、後に周知になる様々な実施形態の構成要件と等価な全ての構成及び機能は、参照によって本明細書に明確に組み込まれており、特許請求の範囲に含まれていることが意図される。更に、そのような開示が特許請求の範囲に明示的に記述されているか否かに関わらず、本明細書で開示されている何れも、公衆に放棄されることを意図していない。特許請求の範囲の構成要件が、「〜する手段」(means for)という文言を用いて、また、方法発明の場合には「〜するステップ」(step for)という文言を用いて明確に記述されていなければ、何れの構成要件も、３５Ｕ．Ｓ．Ｃ１１２条第６パラグラフの条件の下で解釈されるものではない。
【図１】
2011239431.tif 000003
【図２】
2011239431.tif 000004
【図３】
2011239431.tif 000005
【図４】
2011239431.tif 000006
【図５】
2011239431.tif 000007
【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
ユーザによる使用のために、音声通信アプリケーション又はデータ通信アプリケーションを含む１又は複数の端末機能を提供するように構成された端末モジュールと、
少なくとも１つのクライアントデバイスによる使用のために、前記少なくとも１つのクライアントデバイスに対してコンピュータネットワークへのアクセスを提供することを含む１又は複数のゲートウェイ機能を提供するように構成されたゲートウェイモジュールと、
対応する機能を有効にするために前記端末モジュール及び前記ゲートウェイモジュールを実行するように構成されたプロセッサと
を備えるモバイルアクセスポイント。
【請求項２】
前記音声通信アプリケーション又はデータ通信アプリケーションは、ユーザが電話トランザクションを実行できるように構成された請求項１に記載のモバイルアクセスポイント。
【請求項３】
前記１又は複数の端末機能は更に、無線通信アプリケーションを含み、前記無線通信アプリケーションは、第１の無線通信プロトコルを使用し、前記モバイルアクセスポイントは、第２の無線通信プロトコルを使用して、前記少なくとも１つのクライアントデバイスと通信するように構成された請求項１に記載のモバイルアクセスポイント。
【請求項４】
前記プロセッサは更に、前記第１の無線通信プロトコルと前記第２の無線通信プロトコルとの間でデータを再フォーマットするように構成された請求項３に記載のモバイルアクセスポイント。
【請求項５】
前記コンピュータネットワークはインターネットを含む請求項１に記載のモバイルアクセスポイント。
【請求項６】
前記少なくとも１つのクライアントデバイスはモバイルデバイスを備える請求項１に記載のモバイルアクセスポイント。
【請求項７】
ユーザによる使用のために、音声通信アプリケーション又はデータ通信アプリケーションを提供するように構成された端末モジュールと、
宛先コンピュータネットワークにアクセスするために、複数のモバイルクライアントによって使用可能なアクセスポイントを提供するように構成されたゲートウェイモジュールと、
前記端末モジュールと前記ゲートウェイモジュールとを実行するように構成されたプロセッサと
を備えるモバイルデバイス。
【請求項８】
前記音声通信アプリケーション又はデータ通信アプリケーションは、前記ユーザが電話トランザクションを実行できるように構成された請求項７記載のモバイルデバイス。
【請求項９】
前記音声通信アプリケーション又はデータ通信アプリケーションは、仲介ネットワークを利用するように構成され、
前記ゲートウェイモジュールは更に、前記仲介ネットワークを経由して前記宛先コンピュータネットワークへのアクセスを達成するように構成された請求項７記載のモバイルデバイス。
【請求項１０】
前記ゲートウェイモジュールは更に、第１の無線通信プロトコルを使用して、前記複数のモバイルクライアントと前記モバイルデバイスとの間の通信を達成するように構成され、
前記ゲートウェイモジュールは更に、第２の無線通信プロトコルを使用して、前記モバイルデバイスと前記仲介ネットワークとの間の通信を達成するように構成された請求項９記載のモバイルデバイス。
【請求項１１】
前記第１の無線通信プロトコルは８０２．１１ファミリを含み、
前記第２の無線通信プロトコルはＥＶ−ＤＯ(Evolution-Data Optimized)プロトコルを含む請求項１０記載のモバイルデバイス。
【請求項１２】
前記宛先コンピュータネットワークはインターネットを含む請求項７記載のモバイルデバイス。
【請求項１３】
前記複数のモバイルクライアントはモバイル電話を含む請求項７記載のモバイルデバイス。
【請求項１４】
モバイル電話、複数のクライアント、及び仲介ネットワークの間の通信を容易にする手段であって、前記複数のクライアントとの通信は、第１の無線通信プロトコルを用いて行われ、前記仲介ネットワークとの通信は、第２の無線通信プロトコルを用いて行われる手段と、
ユーザによる使用のために、前記仲介ネットワークを経由して電話機能及びデータ機能を提供する手段と、
前記第１の無線通信プロトコルと前記第２の無線通信プロトコルとの間でデータを再フォーマットし、もって、前記複数のクライアントと前記仲介ネットワークとの間でデータが交換されるようにする手段と、
宛先コンピュータネットワークを、前記仲介ネットワークを経由して前記複数のクライアントへアクセスできるようにする手段と
を備えるモバイル電話。
【請求項１５】
前記第１の無線通信プロトコルは８０２．１１ファミリを含み、
前記第２の無線通信プロトコルはＥＶ−ＤＯ(Evolution-Data Optimized)プロトコルを含む請求項１４に記載のモバイル電話。
【請求項１６】
前記仲介ネットワークは、セルラ電気通信ネットワークを含み、
前記宛先コンピュータネットワークは、インターネットを含む請求項１４に記載のモバイル電話。
【請求項１７】
前記複数のクライアントは、少なくとも１つのモバイル電話を含む請求項１４に記載のモバイル電話。
【請求項１８】
モバイルアクセスポイントを提供する方法であって、
音声通信アプリケーション又はデータ通信アプリケーションを含む端末機能をモバイルデバイス上で実施することと、
宛先コンピュータネットワークが、前記モバイルデバイスを経由して少なくとも１つのクライアントデバイスによってアクセスされるようにするゲートウェイ機能を前記モバイルデバイス上で実施することと
を備える方法。
【請求項１９】
前記音声通信アプリケーション又はデータ通信アプリケーションは、前記ユーザが電話トランザクションを実行できるように構成された請求項１８に記載の方法。
【請求項２０】
前記端末機能は更に無線通信アプリケーションを含み、前記方法は更に、
第１の無線通信プロトコルに基づいて、前記無線通信アプリケーションと仲介ネットワークとの間の通信を達成するように前記モバイルデバイスを構成することと、
第２の無線通信プロトコルに基づいて、前記少なくとも１つのクライアントデバイスと前記モバイルデバイスとの間の通信を達成するように前記モバイルデバイスを構成することと、
前記第１の無線通信プロトコルと前記第２の無線通信プロトコルとの間でデータを再フォーマットするように前記モバイルデバイスを構成し、もって、前記少なくとも１つのクライアントデバイスが前記仲介ネットワークと通信するようにすることと、
前記宛先コンピュータネットワークが前記仲介ネットワークを経由してアクセスできるように前記モバイルデバイスを構成することと
を備える請求項１８に記載の方法。
【請求項２１】
方法を実行するためのプロセッサによる実行のためのその上に格納された命令を使用可能なコンピュータを有するコンピュータ読取可能媒体であって、
音声通信アプリケーション又はデータ通信アプリケーションを含み、無線通信アプリケーションを更に含む端末機能をモバイルデバイス上で実施することと、
宛先コンピュータネットワークが、前記モバイルデバイスを経由して少なくとも１つのクライアントデバイスによってアクセスされるようにするゲートウェイ機能を前記モバイルデバイス上で実施することと、
音声通信とは区別されたデータ通信を提供することができるパケット交換通信プロトコルを備えた第１の無線通信プロトコルに基づいて、前記無線通信アプリケーションと仲介ネットワークとの間の通信を達成するように前記モバイルデバイスを構成することと、
８０２．１１ファミリの無線通信プロトコルを備える第２の無線通信プロトコルに基づいて、前記少なくとも１つのクライアントデバイスと前記モバイルデバイスとの間の通信を達成するように前記モバイルデバイスを構成することと、
前記第１の無線通信プロトコルと前記第２の無線通信プロトコルとの間でデータを再フォーマットするように前記モバイルデバイスを構成し、もって、前記少なくとも１つのクライアントデバイスが前記仲介ネットワークと通信するようにすることと、
前記宛先コンピュータネットワークが前記仲介ネットワークを経由してアクセスできるように前記モバイルデバイスを構成することと
を備えるコンピュータ読取可能媒体。
【請求項２２】
方法を実行するためのプロセッサによる実行のためのその上に格納された命令を使用可能なコンピュータを有するコンピュータ読取可能媒体であって、
音声通信とは区別されたデータ通信を提供することができるパケット交換通信プロトコルを備える第１の無線通信プロトコルに基づいて、モバイルデバイスと複数のクライアントとの間で通信を行うように前記モバイルデバイスを構成することと、
８０２．１１ファミリの無線通信プロトコルを備える第２の無線通信プロトコルに基づいて、前記モバイルデバイスと仲介ネットワークとの間で通信を行うように前記モバイルデバイスを構成することと、
ユーザによる使用のために、前記仲介ネットワークを経由して、前記モバイルデバイス上に電話機能及びデータ機能を提供するように前記モバイルデバイスを構成することと、
前記第１の無線通信プロトコルと前記第２の無線通信プロトコルとの間でデータを再フォーマットするように前記モバイルデバイスを構成し、もって、前記複数のクライアントと前記仲介ネットワークとの間でデータが交換されるようにすることと、
宛先コンピュータネットワークが前記仲介ネットワークを経由して、前記複数のクライアントにアクセスできるように前記モバイルデバイスを構成することと
を備えるコンピュータ読取可能媒体。
【外国語明細書】
2011239431000001.pdf